(57)【要約】【課題】送気ポンプから発生する吸気音を効果的に消音することができ、しかも送気圧力の低下のない内視鏡用送気ポンプ装置を提供すること。【解決手段】間に空間を有する複数層に形成された消音ケース１０の、一番内側の消音ケース１１には送気ポンプ２の吸気口２１から最も遠い位置付近の壁面に通気孔１１ａを穿設し、一番内側以外の消音ケース１２，１３には、その消音ケース１２，１３の内側に位置する消音ケース１１，１２に形成されている通気孔１１ａ，１２ａから最も遠い位置付近の壁面に通気孔１２ａ，１３ａを穿設した。【選択図】      図１
2005110744.tif 000002
【特許請求の範囲】
【請求項１】
吸気口から吸い込んだ空気を吐出口に送り出すための送気ポンプを消音ケースで囲んだ構成の内視鏡用送気ポンプ装置において、
上記消音ケースを、間に空間を有する複数層に形成して、上記吐出口に接続した送気管を上記複数層の消音ケース外に引き出すと共に、一番内側の消音ケースには上記送気ポンプの吸気口から最も遠い位置付近の壁面に通気孔を穿設し、上記一番内側以外の消音ケースには、その消音ケースの内側に位置する消音ケースに形成されている通気孔から最も遠い位置付近の壁面に通気孔を穿設したことを特徴とする内視鏡用送気ポンプ装置。
【請求項２】
上記複数層の各消音ケースの全面について、隣の消音ケースとの間に空間が形成されている請求項１記載の内視鏡用送気ポンプ装置。
【請求項３】
上記複数層の消音ケースが床面を共用していて、上記複数層の各消音ケースの上記床面以外の全面について、隣の消音ケースとの間に各々空間が形成されている請求項１記載の内視鏡用送気ポンプ装置。
【発明の詳細な説明】
【技術分野】
【０００１】
この発明は、内視鏡を使用する際に同時に用いられる内視鏡用送気ポンプ装置に関する。
【背景技術】
【０００２】
内視鏡には、観察対象となる粘膜面と観察窓との間の距離を確保するために送気機能が必要であり、一般に、そのための送気ポンプが光源装置に内蔵されている。単体の送気ユニットが用いられる場合もある。また、観察窓の表面に向けて送水を行うために、送水タンクを送気ポンプで加圧することも一般的に行われている。
【０００３】
しかし、送気ポンプからは各種の騒音が発生し、特に、送気ポンプに形成されている吸気口と吐出口のうち吐出口は送気管が接続されて開放されていないので問題が少ないが、開放形成されている吸気口からは大きな吸い込み音が検査室内に発散されて内視鏡検査の妨げになる場合がある。
【０００４】
そこで従来は、吸気のための通気孔が形成された消音ケースで送気ポンプを囲むと共に、送気ポンプの吸気口にチューブを接続し、そのチューブを、消音ケース外に長く引き出してから消音ケースの壁面に形成された接続孔に外側から接続することにより消音ケース内の空間に連通させて、吸気音が長いチューブ内で消音されるようにしていた（例えば、特許文献１）。
【特許文献１】特開２００１−３２１３３０
【発明の開示】
【発明が解決しようとする課題】
【０００５】
しかし、特許文献１に記載された装置では、チューブを長くすればするほど消音効果があがって静粛になるが、同時に送気圧力の圧力損失が大きくなって内視鏡に供給される送気圧力が低下してしまう欠点がある。
【０００６】
そこで本発明は、送気ポンプから発生する吸気音を効果的に消音することができ、しかも送気圧力の低下のない内視鏡用送気ポンプ装置を提供することを目的とする。
【課題を解決するための手段】
【０００７】
上記の目的を達成するため、本発明の内視鏡用送気ポンプ装置は、吸気口から吸い込んだ空気を吐出口に送り出すための送気ポンプを消音ケースで囲んだ構成の内視鏡用送気ポンプ装置において、消音ケースを、間に空間を有する複数層に形成して、吐出口に接続した送気管を複数層の消音ケース外に引き出すと共に、一番内側の消音ケースには送気ポンプの吸気口から最も遠い位置付近の壁面に通気孔を穿設し、一番内側以外の消音ケースには、その消音ケースの内側に位置する消音ケースに形成されている通気孔から最も遠い位置付近の壁面に通気孔を穿設したものである。
【０００８】
なお、複数層の各消音ケースの全面について、隣の消音ケースとの間に空間が形成されていてもよく、或いは、複数層の消音ケースが床面を共用していて、複数層の各消音ケースの床面以外の全面について、隣の消音ケースとの間に各々空間が形成されていてもよい。
【発明の効果】
【０００９】
本発明によれば、送気ポンプから発生する吸気音が、複数層の消音ケースと、それらの間に形成された空間により形成される長い通気路とによって効果的に消音され、しかも通気路の断面積が十分に確保されるので送気圧力の低下が発生しない。
【発明を実施するための最良の形態】
【００１０】
消音ケースを、間に空間を有する複数層に形成して、吐出口に接続した送気管を、複数層の消音ケース外に引き出し、一番内側の消音ケースには送気ポンプの吸気口から最も遠い位置付近の壁面に通気孔を穿設し、一番内側以外の消音ケースには、その消音ケースの内側に位置する消音ケースに形成されている通気孔から最も遠い位置付近の壁面に通気孔を穿設した。
【実施例】
【００１１】
図面を参照して本発明の実施例を説明する。
図１は本発明の第１の実施例の内視鏡用送気ポンプ装置の側面断面図、図２はその平面断面図、図３は正面断面図であり、この実施例の送気ポンプ装置は、内視鏡用光源装置内のフレーム１に取り付けられて、光源装置に内蔵されている。
【００１２】
２は、吸気口２１から吸い込んだ空気を吐出口２２に送り出すように動作する送気ポンプであり、上端部近傍に吸気口２１と吐出口２２が正面に向けて並んで突設され、底面は弾力性のあるゴム材等からなる防震足２３に載せて保持されている。
【００１３】
１０は、間に空間を有する複数層に形成された消音ケースであり、この実施例においては、各々が直方体状に形成された内側消音ケース１１、中間消音ケース１２及び外側消音ケース１３の３層構造になっている。
【００１４】
具体的には、送気ポンプ２を直接囲んでいる内側消音ケース１１の底面に取り付けられている支持足１１ｂが中間消音ケース１２の床面に載せられてそこに固定され、中間消音ケース１２の底面に取り付けられている支持足１２ｂが外側消音ケース１３の床面に載せられてそこに固定され、各消音ケース１１，１２，１３の全面について、隣の層の消音ケース１１，１２，１３との間に空間が形成されている。
【００１５】
そして、内側消音ケース１１には送気ポンプ２の吸気口２１から最も遠い位置付近の側壁面に内側通気孔１１ａが穿設され、その外側の中間消音ケース１２には、内側消音ケース１１に形成されている内側通気孔１１ａから最も遠い位置付近の側壁面に中間通気孔１２ａが穿設され、その外側の外側消音ケース１３には、中間消音ケース１２に形成されている中間通気孔１２ａから最も遠い位置付近の側壁面に外側通気孔１３ａが穿設されている。
【００１６】
吐出口２２には可撓性チューブ状の送気管３が接続されており、その送気管３は、吐出口２２から真っ直ぐに消音ケース１０全体を貫通して外部に延出している。ただし、送気管３と各消音ケース１１，１２，１３との間から空気漏れ（即ち、騒音漏れ）が発生しないよう、送気管３通過用に各消音ケース１１，１２，１３の側壁面に形成された貫通孔には弾力性のあるゴム材等からなるブッシュ１５が嵌め込まれて、送気管３が各ブッシュ１５によって弾力的に締め付けられた状態になっている。
【００１７】
このように、各消音ケース１１，１２，１３の内外を連通させる孔の類は、上述の各通気孔１１ａ，１２ａ，１３ａだけであり、それ以外の部分においては各消音ケース１１，１２，１３は密閉されている。
【００１８】
したがって、送気ポンプ２に吸気口２１から吸い込まれる空気は、消音ケース１０外から、外側消音ケース１３の外側通気孔１３ａを通って外側消音ケース１３と中間消音ケース１２との間の空間に吸い込まれ、次いで外側通気孔１３ａとは反対側に形成されている中間消音ケース１２の中間通気孔１２ａを通って中間消音ケース１２と内側消音ケース１１との間の空間に吸い込まれ、それから中間通気孔１２ａとは反対側に形成されている内側消音ケース１１の内側通気孔１１ａを通って、内側消音ケース１１内の空間に配置されている送気ポンプ２の吸気口２１に吸い込まれる。
【００１９】
その結果、吸気口２１から発生する吸気音は、消音ケース１０を構成する三重の消音ケース１１，１２，１３と、外側通気孔１３ａから吸気口２１に至る長い通気路によって消音されて、消音ケース１０の外では大幅に減衰する。
【００２０】
そして、外側通気孔１３ａから吸気口２１に至る通気流路はチューブ等と違って大きな流路断面積を有するので、送気圧力の圧力損失が発生せず、送気ポンプ２が定格通りの送気性能を発揮することができる。
【００２１】
なお、本発明は上記実施例に限定されるものではなく、例えば図４に示される第２の実施例のように、消音ケース１０の各消音ケース１１，１２，１３が床面を共用する構成を採ってもよい。なお、第２の実施例においては、各消音ケース１１，１２，１３の床面以外の全面について、隣の消音ケース１１，１２，１３との間に各々空間が形成されている。
【００２２】
また、本発明においては、消音ケース１０は複数層であれば何層構造であってもよい。そして、各消音ケース１１，１２，１３の形状が直方体状である必然性はなく、円筒状その他の形状であっても差し支えない。
【００２３】
また、消音ケース１０が光源装置に内蔵されたものである必然性もなく、消音ケース１０が単独のユニット等として構成されていても差し支えない。また、本発明は内視鏡用の吸引ポンプ装置に適用することもできる。
【図面の簡単な説明】
【００２４】
【図１】本発明の内視鏡用送気ポンプ装置の第１の実施例の側面断面図である。
【図２】本発明の内視鏡用送気ポンプ装置の第１の実施例の平面断面図である。
【図３】本発明の内視鏡用送気ポンプ装置の第１の実施例の正面断面図である。
【図４】本発明の内視鏡用送気ポンプ装置の第２の実施例の側面断面図である。
【符号の説明】
【００２５】
２  送気ポンプ
３  送気管
１０  消音ケース
１１  内側消音ケース
１１ａ  内側通気孔
１２  中間消音ケース
１２ａ  中間通気孔
１３  外側消音ケース
１３ａ  外側通気孔
２１  吸気口
２２  吐出口
【図１】
2005110744.tif 000003
【図２】
2005110744.tif 000004
【図３】
2005110744.tif 000005
【図４】
2005110744.tif 000006